(57)【要約】【課題】耐久性と信頼性が高く、作業性を向上したシートヒータ制御装置を提供することを目的とする。【解決手段】温度制御回路基板２を収納し、第一のケース体３と第二のケース体４からなるケース体５において、第一のケース体３にはケース体５を座席に取り付ける取付部６を設け、第二のケース体４には温度制御回路基板２を固定するように構成したものである。【選択図】  図１
2004272755.tif 000002
【特許請求の範囲】
【請求項１】
シートヒータの温度を制御する温度制御回路基板と、前記温度制御回路基板を収納する第一のケース体と第二のケース体からなるケース体を備え、前記第一のケース体に前記ケース体を座席に取り付ける取付部を設けるとともに、前記第二のケース体に前記温度制御回路基板を固定したシートヒータ制御装置。
【請求項２】
第二のケース体にシートヒータと電気的に接続する接続部を設けた請求項１記載のシートヒータ制御装置。
【請求項３】
第一のケース体と第二のケース体の外周壁内部にラビリンスシール部を設けた請求項１記載のシートヒータ制御装置。
【発明の詳細な説明】
【０００１】
【発明の属する技術分野】
本発明は、車輌などの座席に取り付けて、座席の暖房を行うシートヒータの制御装置に関するものである。
【０００２】
【従来の技術】
従来のシートヒータの多くは、シートヒータ本体と、サーモスタットなどからなる温度制御装置とから構成され、シートヒータ本体と温度制御装置が一体となっていた。
【０００３】
このような構成において、シートヒータ本体は車輌用シートのクッション側とバック側に設け、温度制御装置は座席内部に設けていた（例えば、特許文献１参照）。
【０００４】
また、シートヒータ本体と温度制御装置は着脱自在に構成されたシートヒータにおいては、温度制御装置は他の車載システム（例えばエアコン）と一体に構成され、座席とは離れた場所に配置されていた（例えば、特許文献２参照）。
【０００５】
【特許文献１】
特開平６―３０１４２７号公報（第４頁、第１図）
【特許文献２】
特開昭６０―７５０６号公報（第４頁、第４図）
【０００６】
【発明が解決しようとする課題】
しかしながら、上記従来の構成では、座席内部に温度制御装置を設けていたため、着座時に異物感を感じ、座り心地が悪いという問題があった。
【０００７】
また、温度制御装置に着座荷重が加わり、温度制御装置の耐久性に欠けるとともに、温度制御の精度も落ちるという問題もあった。
【０００８】
さらに、温度制御装置が他の車載システムと一体となって構成されているものにおいては、温度制御装置が故障などを起こした場合や、取り替えるなどの場合などに、その配置場所がわかりにくいため、作業がしにくく、効率が悪いなどの課題があった。
【０００９】
また、シートヒータ本体と温度制御装置の接続距離が長くなり、温度制御の信頼性に劣るという課題もあった。
【００１０】
本発明は、従来の上記問題点を解決するためになされたものであり、シートヒータの温度制御の信頼性向上と、シートヒータ制御装置の耐久性と、作業性の向上および快適なシートヒータを構成することができるシートヒータ制御装置の提供を目的とする。
【００１１】
【課題を解決するための手段】
上記の課題を解決するために本発明は、シートヒータの温度を制御する温度制御回路基板と、前記温度制御回路基板を収納する第一のケース体と第二のケース体からなるケース体を備え、前記第一のケース体に前記ケース体を座席に取り付ける取付部を設けるとともに、前記第二のケース体に前記温度制御回路基板を固定して構成したことにより、座席からシートヒータ制御装置の着脱が自在になり、温度制御の信頼性向上と、シートヒータ制御装置の耐久性と、作業性の向上を図ることができる。
【００１２】
【発明の実施の形態】
本発明は、シートヒータの温度を制御する温度制御回路基板と、前記温度制御回路基板を収納する第一のケース体と第二のケース体からなるケース体を備え、前記第一のケース体に前記ケース体を座席に取り付ける取付部を設けるとともに、前記第二のケース体に前記温度制御回路基板を固定して構成したことにより、シートヒータ制御装置の故障などにおいて、温度制御回路基板を設けた第二のケース体のみを着脱することで温度制御回路基板の修理作業をすることが可能となり、作業性を向上することができる。
【００１３】
さらに、着座による温度制御回路基板への荷重や振動などの影響が軽減され、耐久性および温度制御の信頼性を向上することができるとともに、快適な着座を実現することができる。
【００１４】
また本発明は、第二のケース体にシートヒータと電気的に接続する接続部を設けたことにより、車輌へのシートヒータの設置における順序の制約が解消され、作業性を向上することができる。
【００１５】
また本発明は、第一のケース体と第二のケース体の外周壁内部にラビリンスシール部を設けたことにより、シートヒータ制御装置内への水や埃などの侵入を防ぐことができ、使用時の安全性および信頼性を向上することができる。
【００１６】
【実施例】
以下本発明の実施例について図面を参照して説明する。
【００１７】
（実施例１）
図１はシートヒータ制御装置を示し、（ａ）は上面図、（ｂ）は図２は背面図、（ｃ）は側面図、（ｄ）は底面部を示し、図２はシートヒータ制御装置を車載した座席周辺部を示す。
【００１８】
シートヒータ制御装置は、シートヒータ本体１の温度を制御する温度制御回路基板２と、温度制御回路基板２を収納する第一のケース体３と第二のケース体４とからなるケース体５とから構成されている。
【００１９】
第一のケース体３にはケース体５を座席へ取り付ける取付部６が設けられ、第二のケース体４にはシートヒータ本体１と電気的に接続する接続部７が設けられている。
【００２０】
また、第二のケース体４には温度制御回路基板２が固定されている。
【００２１】
上述したシートヒータ制御装置は、取付部６を座席８側に設けられた突起部９に取り付けることによって設置される。
【００２２】
さらに、接続部７とシートヒータ本体１を接続コード（図示せず）で接続することによって、シートヒータ本体１の温度制御を行っている。
【００２３】
このような構成により、ケース体４がシートヒータ本体１からの着脱および座席からの着脱が自在となっているため、シートヒータ制御装置の故障、つまり温度制御回路基板２の故障などが起きた場合に、座席８からシートヒータ制御装置だけを外せば修理をすることができるので、作業性が向上する。
【００２４】
さらに、シートヒータ制御装置を座席８へ取り付ける第一のケース体３とは反対側の第二のケース体４に温度制御回路基板２を固定したため、第二のケース体４のみを外すことで、温度制御回路基板２の修理をすることが可能となり、作業性をさらに向上することができる。
【００２５】
シートヒータ制御装置であるケース体４を座席８サイドに設けるたため、着座したときのケース体４による異物感や不快感などがなく、快適に着座することができる。
【００２６】
さらに、着座による人の体重が温度制御回路基板２へかからないため、外的環境による温度制御回路基板２への荷重や振動などによる影響が軽減され、温度制御回路基板２の耐久性がよくなるとともに、シートヒータ本体１の温度制御の精度の低下を防ぐことができる。
【００２７】
シートヒータ本体１との接続部７を第二のケース体４に設け、接続ケーブルの取り外しが可能なため、車輌へシートヒータ本体１とケース体５を搭載するとき、電気的な接続作業とケース体５の組み立て作業の順序の制約がなく、作業性が向上する。
【００２８】
なお、接続ケーブルは取付部６に内臓されていて、ケース体５内部で温度制御回路基板２と接続する構成でもよい。
【００２９】
（実施例２）
図３は、本発明の実施例２におけるシートヒータ制御装置の断面図である。図３に示すように、ケース体５は温度制御回路基板２を覆うように収納し、固定部１０によって第二のケース体４に固定されている。
【００３０】
第一のケース体３は外郭の壁面を二重に構成し、その二重壁内部に第二のケース体４の外周壁を嵌合させるようにしてラビリンスシール部１１を形成するようにした。
【００３１】
このようなラビリンスシール部１１を形成しているため、車内で使用者が誤って水などをこぼしても、ケース体５内の温度制御回路基板２への水の侵入を防ぐことができ、使用時の安全性および信頼性が向上する。
【００３２】
また、外部からの静電気の影響や埃などの侵入も防ぐことができるため、信頼性が向上する。
【００３３】
なお、第一のケース体３の外壁を二重に形成した場合を示したが、三重でも四重でも何重でも同様の効果を得ることができる。また、第二のケース体４の外壁を二重に形成しても同様の効果を得ることができる。
【００３４】
なお、上述の各実施例において、各図に示すように第一のケース体３は上ケースを、第二のケース体４は下ケースを構成して温度制御回路基板２を収納する構成をしているが、温度制御回路基板２を縦にし横から挟んで収納するような構成でも同様の効果を奏する。
【００３５】
【発明の効果】
以上のように本発明によれば、耐久性と信頼性が高く、作業性を向上したシートヒータ制御装置を提供することができる。
【図面の簡単な説明】
【図１】（ａ）本発明の実施例１におけるシートヒータ制御装置の上面図
（ｂ）本発明の実施例１におけるシートヒータ制御装置の背面図
（ｃ）本発明の実施例１におけるシートヒータ制御装置の側面図
（ｄ）本発明の実施例１におけるシートヒータ制御装置の底面図
【図２】本発明の実施例１におけるシートヒータ制御装置を車載した座席周辺部の斜視図
【図３】本発明の実施例２におけるシートヒータ制御装置の断面図
【符号の説明】
２  温度制御回路基板
３  第一のケース体
４  第二のケース体
６  取付部
７  接続部
１０  固定部
１１  ラビリンスシール部
【図１】
2004272755.tif 000003
【図２】
2004272755.tif 000004
【図３】
2004272755.tif 000005